(57)【要約】      （修正有）【課題】撮影により得られた投影画像に濃度ムラがある場合に断層画像に生じるアーチファクトを抑制することができる断層画像生成システムを提供する。【解決手段】放射線断層撮影装置１において被写体台７０に被写体Ｈを配置せずにトモシンセシス撮影することにより取得された被写体無しの投影画像から画素信号値のプロファイルを作成し、作成したプロファイルに基づいて、被写体台７０に被写体Ｈを配置して取得された被写体有りの投影画像を補正し、補正した投影画像に基づいて再構成画像を生成する。【選択図】図１
2015116274.tif 000002
【特許請求の範囲】
【請求項１】
被写体に放射線を照射する放射線源と、
放射線を検出して電気信号を生成する放射線検出素子が２次元状に配置され、照射された放射線に応じた投影画像を取得する放射線検出器と、
前記放射線源と前記放射線検出器の間に設けられ、被写体を保持する被写体台と、
を備え、前記放射線源と前記放射線検出器との相対的な位置関係を変化させながら所定回数の前記投影画像の取得を行う撮影手段と、
前記撮影手段により取得された投影画像を用いて前記被写体の断層画像の生成を行う再構成手段と、を備え、
前記再構成手段は、前記撮影手段において前記被写体台に前記被写体を配置せずに取得された被写体無しの投影画像から画素信号値のプロファイルを作成し、作成したプロファイルに基づいて、前記撮影手段において前記被写体台に前記被写体を配置して取得された被写体有りの投影画像又は前記被写体の断層画像の再構成時に用いられる検出確率を補正する補正手段を備える断層画像生成システム。
【請求項２】
被写体に放射線を照射する放射線源と、
放射線を検出して電気信号を生成する放射線検出素子が２次元状に配置され、照射された放射線に応じた投影画像を取得する放射線検出器と、
前記放射線源と前記放射線検出器の間に設けられ、被写体を保持する被写体台と、
を備え、前記放射線源と前記放射線検出器との相対的な位置関係を変化させながら所定回数の前記投影画像の取得を行う撮影手段と、
前記撮影手段により取得された投影画像を用いて前記被写体の断層画像の生成を行う再構成手段と、を備え、
前記再構成手段は、前記撮影手段において前記被写体台に前記被写体を配置して取得された投影画像から画素信号値のプロファイルを作成し、作成したプロファイルに基づいて、前記投影画像又は前記被写体の断層画像の再構成時に用いられる検出確率を補正する補正手段を備える断層画像生成システム。
【請求項３】
前記補正手段は、前記放射線源又は前記放射線検出器の移動方向に沿った素抜け部が投影画像内に存在する場合、前記素抜け部の画素信号値のプロファイルを作成し、作成したプロファイルに基づいて、前記投影画像又は前記被写体の断層画像の再構成時に用いられる検出確率を補正する請求項２に記載の断層画像生成システム。
【請求項４】
前記補正手段は、前記放射線源又は前記放射線検出器の移動方向に沿った素抜け部が投影画像の両側に存在する場合、それぞれの素抜け部の画素信号値のプロファイルを作成し、作成したプロファイルに基づいて前記素抜け部の間のプロファイルを補間し、前記作成されたプロファイル及び前記補間されたプロファイルに基づいて前記投影画像又は前記被写体の断層画像の再構成時に用いられる検出確率を補正する請求項３に記載の断層画像生成システム。
【請求項５】
前記補正手段は、前記投影画像における前記放射線源又は前記放射線検出器の移動方向に対応するプロファイルを作成し、当該作成したプロファイルに基づいてコリメーターによる放射線のケラレが発生しているケラレ部を検出し、前記ケラレ部における放射線の減弱の影響を前記投影画像又は前記検出確率を補正することにより補正する請求項１〜４の何れか一項に記載の断層画像生成システム。
【請求項６】
前記補正手段は、前記投影画像におけるケラレ部に平滑化処理を施した後、前記補正を行う請求項１〜５の何れか一項に記載の断層画像生成システム。
【請求項７】
前記放射線源の位置が固定され、
前記固定された放射線源に対して前記放射線検出器を移動させる搬送装置を備える請求項１〜６の何れか一項に記載の断層画像生成システム。
【請求項８】
前記被写体台を前記放射線検出器の移動方向と同方向に移動させる第２の搬送装置を備え、
前記放射線検出器及び前記被写体台が同期して前記放射線源に対して移動するように構成されている請求項７に記載の断層画像生成システム。
【発明の詳細な説明】
【技術分野】
【０００１】
本発明は、断層画像生成システムに関する。
【背景技術】
【０００２】
近年、被写体である患者の身体に周囲から放射線を照射し、被写体を透過した放射線を電気信号に変換し、変換した電気信号を投影画像として取得するトモシンセシス撮影を行う放射線断層撮影装置が、医療の分野で利用されている。そして、画像処理装置で、放射線断層撮影装置で取得された被写体の複数枚の投影画像を用いて再構成することによって、被写体の所定断面における２次元断層画像が生成される。
【０００３】
しかし、トモシンセシス撮影により取得された投影画像を用いて再構成することにより得られる断層画像には、各種アーチファクトが存在する。そこで、これを回避するための各種技術が提案されている。
【０００４】
例えば、特許文献１には、断層画像領域内の位置毎に重ね合わせられる透視画像（投影画像）の枚数が異なることにより生じる輝度ムラを抑えるために、断層画像領域内の位置毎の、重ね合わせられる透視画像の枚数に応じて、輝度補正係数を補正することが記載されている。
【０００５】
また、例えば、特許文献２には、取得された投影データに対し、所定方向に沿った外挿処理及び所定方向の垂直方向に沿った平滑化処理を実行することで、放射線検出器の検出領域に属さない非検出領域内の投影データを作成することが記載されている。
【先行技術文献】
【特許文献】
【０００６】
【特許文献１】特開２０１１−３６４０７号公報
【特許文献２】特開２０１３−５５９７１号公報
【発明の概要】
【発明が解決しようとする課題】
【０００７】
しかしながら、特許文献１に記載の技術は、断層画像の生成方法がフェルドカンプ（Feldkamp）法の場合にのみ適用可能であり、逐次近似画像再構成法等の他の手法の場合には適用できないという問題がある。また、特許文献２に記載の技術は、全ての手法に適用可能であるが、投影画像における放射線検出器の検出領域内に濃度ムラ（輝度ムラ）がある場合については対応していない。また、投影データの外挿処理で表現領域を広げるのは正確さに欠けるという問題がある。
【０００８】
本発明の課題は、撮影により得られた投影画像に濃度ムラがある場合に断層画像に生じるアーチファクトを抑制することである。
【課題を解決するための手段】
【０００９】
上記課題を解決するために、請求項１に記載の断層画像生成システムは、
被写体に放射線を照射する放射線源と、
放射線を検出して電気信号を生成する放射線検出素子が２次元状に配置され、照射された放射線に応じた投影画像を取得する放射線検出器と、
前記放射線源と前記放射線検出器の間に設けられ、被写体を保持する被写体台と、
を備え、前記放射線源と前記放射線検出器との相対的な位置関係を変化させながら所定回数の前記投影画像の取得を行う撮影手段と、
前記撮影手段により取得された投影画像を用いて前記被写体の断層画像の生成を行う再構成手段と、を備え、
前記再構成手段は、前記撮影手段において前記被写体台に前記被写体を配置せずに取得された被写体無しの投影画像から画素信号値のプロファイルを作成し、作成したプロファイルに基づいて、前記撮影手段において前記被写体台に前記被写体を配置して取得された被写体有りの投影画像又は前記被写体の断層画像の再構成時に用いられる検出確率を補正する補正手段を備える。
【００１０】
請求項２に記載の発明の断層画像生成システムは、
被写体に放射線を照射する放射線源と、
放射線を検出して電気信号を生成する放射線検出素子が２次元状に配置され、照射された放射線に応じた投影画像を取得する放射線検出器と、
前記放射線源と前記放射線検出器の間に設けられ、被写体を保持する被写体台と、
を備え、前記放射線源と前記放射線検出器との相対的な位置関係を変化させながら所定回数の前記投影画像の取得を行う撮影手段と、
前記撮影手段により取得された投影画像を用いて前記被写体の断層画像の生成を行う再構成手段と、を備え、
前記再構成手段は、前記撮影手段において前記被写体台に前記被写体を配置して取得された投影画像から画素信号値のプロファイルを作成し、作成したプロファイルに基づいて、前記投影画像又は前記被写体の断層画像の再構成時に用いられる検出確率を補正する補正手段を備える。
【００１１】
請求項３に記載の発明は、請求項２に記載の発明において、
前記補正手段は、前記放射線源又は前記放射線検出器の移動方向に沿った素抜け部が投影画像内に存在する場合、前記素抜け部の画素信号値のプロファイルを作成し、作成したプロファイルに基づいて、前記投影画像又は前記被写体の断層画像の再構成時に用いられる検出確率を補正する。
【００１２】
請求項４に記載の発明は、請求項３に記載の発明において、
前記補正手段は、前記放射線源又は前記放射線検出器の移動方向に沿った素抜け部が投影画像の両側に存在する場合、それぞれの素抜け部の画素信号値のプロファイルを作成し、作成したプロファイルに基づいて前記素抜け部の間のプロファイルを補間し、前記作成されたプロファイル及び前記補間されたプロファイルに基づいて前記投影画像又は前記被写体の断層画像の再構成時に用いられる検出確率を補正する。
【００１３】
請求項５に記載の発明は、請求項１〜４の何れか一項に記載の発明において、
前記補正手段は、前記投影画像における前記放射線源又は前記放射線検出器の移動方向に対応するプロファイルを作成し、当該作成したプロファイルに基づいてコリメーターによる放射線のケラレが発生しているケラレ部を検出し、前記ケラレ部における放射線の減弱の影響を前記投影画像又は前記検出確率を補正することにより補正する。
【００１４】
請求項６に記載の発明は、請求項１〜５の何れか一項に記載の発明において、
前記補正手段は、前記投影画像におけるケラレ部に平滑化処理を施した後、前記補正を行う。
【００１５】
請求項７に記載の発明は、請求項１〜６の何れか一項に記載の発明において、
前記放射線源の位置が固定され、
前記固定された放射線源に対して前記放射線検出器を移動させる搬送装置を備える。
【００１６】
請求項８に記載の発明は、請求項７に記載の発明において、
前記被写体台を前記放射線検出器の移動方向と同方向に移動させる第２の搬送装置を備え、
前記放射線検出器及び前記被写体台が同期して前記放射線源に対して移動するように構成されている。
【発明の効果】
【００１７】
撮影により得られた投影画像に濃度ムラがある場合に断層画像に生じるアーチファクトを抑制することが可能となる。
【図面の簡単な説明】
【００１８】
【図１】本実施形態に係る断層画像生成システムの全体構成を示す図である。
【図２】図１のコンソールの機能的構成を示すブロック図である。
【図３】放射線源から照射される放射線強度分布及び放射線検出器の移動方向の各位置に到達する放射線強度分布を示す図である。
【図４】第１の実施形態において図２の制御部により実行される再構成画像生成処理Ａを示すフローチャートである。
【図５】被写体無しの投影画像、及び当該投影画像における放射線検出器の移動方向（列方向）のプロファイルを示す図である。
【図６】第２の実施形態において図２の制御部により実行される再構成画像生成処理Ｂを示すフローチャートである。
【図７】被写体が全面に配置された投影画像、及び当該投影画像における放射線検出器の移動方向（列方向）のプロファイルを示す図である。
【図８】素抜け部のある被写体有りの投影画像、及び当該投影画像における素抜け部の放射線検出器の移動方向（列方向）のプロファイルを示す図である。
【図９】両側に素抜け部のある被写体有りの投影画像、及び当該投影画像における素抜け部の放射線検出器の移動方向（列方向）のプロファイルを示す図である。
【図１０】第３の実施形態において図２の制御部により実行される再構成画像生成処理Ｃを示すフローチャートである。
【図１１】逐次近似画像再構成法における検出確率の算出の一例を説明するための図である。
【図１２】ケラレ影響画素を説明するための図である。
【発明を実施するための形態】
【００１９】
以下、添付図面を参照して本発明に係る好適な実施形態を詳細に説明する。なお、本発明は、図示例に限定されるものではない。
【００２０】
＜第１の実施形態＞
［断層画像生成システム１００の構成］
まず、本実施形態に係る断層画像生成システムの概略構成について説明する。断層画像生成システム１００は、被写体Ｈ（人体の部位）をトモシンセシス撮影することにより得られた投影画像を用いて診断用の断層画像を生成するシステムである。図１に、本実施形態に係る断層画像生成システム１００の概略構成を示す。図１に示すように、断層画像生成システム１００は、主に、放射線検出器Ｆを含む放射線断層撮影装置１やコンソール９０等で構成されている。
【００２１】
断層画像生成システム１００は、撮影室１０１ａや前室（操作室等ともいう。）１０１ｂの内外に設けられるようになっている。撮影室１０１ａ内には、放射線断層撮影装置１の撮影台５０や放射線源６１等が設けられている。また、撮影室１０１ａ内には、放射線検出器Ｆと後述するコンソール９０との間の無線通信を中継するためのアクセスポイントＡＰ等も設けられている。
【００２２】
また、前室１０１ｂには、放射線照射装置６０の操作卓６２や曝射スイッチ６３等が設けられている。また、図１では、制御ＢＯＸ８０やコンソール９０等が前室１０１ｂの外に設けられている場合が示されているが、それらを前室１０１ｂ内等に設けることも可能である。
【００２３】
撮影手段としての放射線断層撮影装置１は、図１に示すように、放射線検出器Ｆと、放射線検出器Ｆを保持する撮影台５０と、放射線照射装置６０と、被写体Ｈを保持する被写体台７０とを備えて構成されている。なお、図１においては、一例として、立位で被写体Ｈを撮影する放射線断層撮影装置１を側面から見た図を示している。
【００２４】
放射線検出器Ｆは、ＦＰＤ（Flat Panel Detector）等の半導体イメージセンサーにより構成される。ＦＰＤは、例えば、ガラス基板等を有しており、基板上の所定位置に、放射線源６１から照射されて少なくとも被写体Ｈを透過した放射線（Ｘ線）をその強度に応じて検出し、検出した放射線を電気信号に変換して蓄積する複数の検出素子（画素）がマトリックス状に配列されている。各画素は、例えばＴＦＴ（Thin Film Transistor）等のスイッチング部を備えて構成されており、当該各画素に蓄積された電気信号の読み取りをスイッチング部によりスイッチングしていき、放射線検出器Ｆに蓄積された電気信号を読み取ることにより、被写体Ｈの投影画像を取得する。なお、ＦＰＤには放射線をシンチレーターを介して光電変換素子により電気信号に変換する間接変換型、放射線を直接的に電気信号に変換する直接変換型があるが、何れを用いてもよい。
投影画像の各画素の値（信号値）は、放射線検出器Ｆに到達した放射線強度を電気信号に変換した値、即ち、放射線検出器Ｆに到達した放射線強度に相関する値であり、到達した放射線強度が高いほど信号値は大きくなる。また、本実施形態においては、投影画像の信号値が大きいほど黒く（高い濃度で）描出される。
放射線検出部Ｆは、ネットワークＮ１及び制御ＢＯＸ８０を介してコンソール９０と通信を行う機能、アクセスポイントＡＰを介してコンソール９０と通信を行うための無線通信機能を備えている。
【００２５】
撮影台５０は、放射線検出器Ｆを保持する装填部５１、支持部５２、搬送装置５３、装填部支持部５４等を備えて構成されている。撮影台５０は、放射線検出器Ｆの放射線入射面が被写体台７０に保持された被写体Ｈに対向するように配置されている。また、撮影台５０は、制御ＢＯＸ８０からの指示に応じて、搬送装置５３により装填部支持部５４が被写体台７０と同期して放射線源６１に対して移動（昇降）することにより、被写体Ｈと放射線検出器Ｆが同速度で同方向に移動することが可能となっている。
【００２６】
放射線照射装置６０は、被写体Ｈを介して放射線検出器Ｆに放射線を照射する固定された放射線源６１と、放射線技師等の撮影者が管電流や管電圧、照射時間等を設定可能な操作卓６２と、撮影者が操作して放射線源６１からの放射線の照射を指示する曝射スイッチ６３等で構成されている。また、放射線源６１の放射線照射方向には、放射線源６１から照射された放射線の照射領域を制限するコリメーター７５が設けられている。
【００２７】
本実施形態では、放射線照射装置６０の放射線源６１として、被写体Ｈや放射線検出器Ｆに向けて放射線を円錐状に照射する放射線源、すなわちいわゆるコーンビームを照射する放射線源が用いられているが、放射線源６１を支点として扇のように略平面状に拡がる放射線（すなわちいわゆるファンビーム）を照射する放射線源を用いるように構成することも可能である。ファンビームを照射する放射線源を用いる場合には、当該一定方向にファンビームが拡がるように放射線源から放射線が照射される。
【００２８】
被写体台７０は、図１に示すように、放射線源６１と、撮影台５０に装填された放射線検出器Ｆとの間に設けられ、被写体Ｈを起立した状態に保持する。被写体台７０には、被写体台７０を上下方向に搬送する搬送装置７１及び支持部７２が設けられ、制御ＢＯＸ８０からの指示に応じて、搬送装置７１により撮影台５０の装填部支持部５４と同期をとって移動（昇降）することが可能となっている。被写体台７０は、アクリル板等の樹脂性の板や、カーボン板等の無機材料からなる板、或いは金属板等で構成されている。
【００２９】
搬送装置７１は、図示を省略するが、例えば、駆動モーター等を備え、駆動モーターの回転力をラックアンドピニオンで被写体台７０に伝えて、被写体台７０を上下方向に移動（昇降）させるように構成される。なお、搬送装置７１は、被写体台７０を上下方向に移動させることができるものであれば、どのような構成や機構等でも採用することが可能であり、上記のラックアンドピニオンを用いた構成等に限定されない。例えばアクチュエーター等の直線的な動きを被写体台７０に伝達して被写体台７０を移動させるように構成することも可能である。搬送装置５３についても同様である。
【００３０】
上記構成の放射線断層撮影装置１は、後述する制御ＢＯＸ８０を介してコンソール９０から送信される制御信号に応じて、被写体Ｈを保持した被写体台７０と放射線検出器Ｆを装填した撮影台５０とが同期して予め定められたスタート位置から終了位置に（上方向又は下方向に）移動する間に、所定回数のトモシンセシス撮影を行い、撮影ごとに放射線検出器Ｆで投影画像が取得されるように構成されている。
【００３１】
その際、例えば、放射線源６１から放射線を途切れることなく連続的に照射し、その間に放射線検出器Ｆが所定回数の投影画像の取得処理を行うように構成することが可能である。或いは、放射線源６１から放射線を所定回数照射（パルス照射）して、放射線が照射されるごとに放射線検出器Ｆで投影画像を取得するように構成してもよい。
【００３２】
なお、放射線検出器Ｆは、投影画像を取得するごとに、制御ＢＯＸ８０を介して画像処理装置としてのコンソール９０に取得した投影画像を送信するように構成してもよく、また、取得した各投影画像を一旦図示しない記憶部に保存しておき、所定回数の投影画像の取得処理が終了した時点で各投影画像をまとめてコンソール９０に送信するように構成することも可能である。
【００３３】
また、被写体Ｈがスタート位置から終了位置まで移動する間に、所定回数の投影画像の取得処理が行われるようにするために、搬送装置５３、搬送装置７１のそれぞれが装填部支持部５４、被写体台７０を移動させる速度等が適宜決められる。
【００３４】
また、後述の再構成に際し、放射線源６１と被写体Ｈとの相対位置情報が必要となるが、これは被写体台７０の位置を検出する手段を設け位置情報を取得しても良く、また、予め設定された所定の範囲を所定の速度で移動させる構成とすれば、予め設定された位置情報を用いることも可能となる。同様に、放射線源６１と放射線検出器Ｆの相対位置情報が必要となるが、これは放射線検出器Ｆの位置を検出する手段を設け位置情報を取得しても良く、また、予め設定された所定の範囲を所定の速度で移動させる構成とし、予め設定された位置情報を用いても良い。
【００３５】
また、上記のように、放射線源６１から放射線を所定回数照射するように構成する場合には、搬送装置７１が被写体台７０を移動させる速度（搬送装置５３が撮影台５０を移動させる速度）と、放射線照射装置６０が放射線源６１から放射線を照射させるタイミング（すなわち放射線の照射間隔）等が、適宜調整されて決められるようになっている。
【００３６】
制御ＢＯＸ（中継器等ともいう。）８０は、ネットワークＮ１を介して放射線断層撮影装置１の各部や、装填部５１に装填された放射線検出器Ｆ、コンソール９０等と接続されている。制御ＢＯＸ８０には、コンソール９０等から放射線照射装置６０に送信するＬＡＮ（Local Area Network）通信用の信号等を放射線照射装置６０用の信号等に変換したり、また、その逆の変換も行う図示しない変換器が内蔵されている。
【００３７】
コンソール９０は、図２に示すように、制御部９１、操作部９２、表示部９３、通信部９４、記憶部９５を備えて構成され、各部がバス９６により接続されて構成されたコンピューター装置である。
【００３８】
制御部９１は、ＣＰＵ、ＲＡＭ等により構成される。制御部９１のＣＰＵは、記憶部９５に記憶されているシステムプログラムや処理プログラム等の各種プログラムを読み出してＲＡＭに展開し、展開されたプログラムに従って各種処理を実行する。制御部９１は、記憶部９５に記憶されているプログラムとの協働により、再構成手段として機能する。
【００３９】
操作部９２は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部９１に出力する。
【００４０】
表示部９３は、例えば、ＣＲＴ（Cathode Ray Tube）やＬＣＤ（Liquid Crystal Display）等のモニターを備えて構成されており、制御部９１から入力される表示信号の指示に従って、各種画面を表示する。
【００４１】
通信部９４は、ＬＡＮカード等により構成され、スイッチングハブを介してネットワークＮ１、Ｎ２に接続された外部機器との間でデータの送受信を行う。
【００４２】
記憶部９５は、例えばＨＤＤ（Hard Disk Drive）や半導体の不揮発性メモリ等で構成
されている。記憶部９５には、前述のようにシステムプログラムや各種処理プログラムが記憶されている。
【００４３】
コンソール９０は、通信部９４により例えばアクセスポイントＡＰや制御ＢＯＸ８０を介して放射線検出器Ｆに覚醒信号を送信して放射線検出器Ｆをスリープ（sleep）状態から覚醒（wake up）状態に遷移させる等して放射線検出器Ｆを制御したり、放射線技師等の撮影者が操作部９２により設定した管電流等を、制御ＢＯＸ８０を介して放射線照射装置６０に送信して設定したり、制御ＢＯＸ８０を介して搬送装置５３及び搬送装置７１を制御することができるようになっている。
【００４４】
また、本実施形態では、コンソール９０は、画像処理装置としても機能するようになっており、後述するように放射線検出器Ｆが取得した投影画像が放射線断層撮影装置１から送信されてくると、後述する再構成画像生成処理を実行し、それらを再構成して被写体の２次元断層画像を生成するようになっている。なお、画像処理装置を、コンソール９０とは別体の装置として構成することも可能である。
【００４５】
さらに、図１に示すように、コンソール９０には、ネットワークＮ２を介してアクセスポイントＡＰが接続されている。また、コンソール９０は、ネットワークＮ２を介して図示しないＨＩＳ（Hospital Information System；病院情報システム）やＲＩＳ（Radiology Information System；放射線科情報システム）、ＰＡＣＳ（Picture Archiving and Communication System；医用画像診断支援システム）等に接続されている。そして、コンソール９０は、撮影に必要な撮影オーダー情報をＲＩＳから取り寄せたり、生成した断層画像をＰＡＣＳに送信するなど各種の処理を行うように構成されている。
【００４６】
なお、図１に示した断層画像生成システム１００では、病院等の施設に撮影台５０や放射線照射装置６０が既に導入されており、コンソール９０がネットワークＮ２を介してＨＩＳやＲＩＳ、ＰＡＣＳ等に接続されているところに、新たに被写体台７０や搬送装置７１、制御ＢＯＸ８０等を導入して、それらと既設の撮影台５０や放射線照射装置６０、コンソール９０等を新たにネットワークＮ１で接続して断層画像生成システム１００が構築される場合が示されている。
【００４７】
しかし、各装置等を結ぶネットワークを、本実施形態のように複数のネットワークＮ１、Ｎ２で分けて構成する必要はなく、各装置を１つのネットワークに接続して断層画像生成システム１００を構成することも可能である。また、各装置を結ぶネットワークとして本実施形態のように複数のネットワークを用いる場合、どの装置をいずれのネットワークに接続するかは適宜変更可能である。
【００４８】
［断層画像生成システム１００の動作］
次に、本実施形態における断層画像生成システム１００の動作について説明する。
図３に示すように、放射線源６１から照射される放射線強度分布はヒール効果により一様ではなく、コーン角が大きいところはコーン角が小さいところに比べて放射線強度が落ちる特性がある（図３下段のグラフ参照）。そのため、放射線検出器Ｆの入射面の各位置に到達する放射線強度分布も一様ではなく（図３上段のグラフ参照）、投影画像に濃度ムラが生じてしまう。また、上述のように、断層画像生成システム１００においては、被写体Ｈの断層画像を生成するための投影画像を得るために放射線源６１に対して放射線検出器Ｆを相対的に移動させて複数回の撮影を行っている。このとき、放射線源６１から遠い位置（例えば、放射線検出器Ｆの移動のスタート位置や終了位置付近）に放射線検出器Ｆがある場合、図３に示すように、コリメーター７５により放射線が遮られ、放射線がわずかしか到達しない領域（図３のＡ１、Ａ２）が生じてしまい、得られた投影画像の一部にコリメーター７５の影響によりわずかな信号値（濃度）しかない領域（ケラレ部と呼ぶ）が存在することとなる。これらの濃度ムラが生じている投影画像に基づいて再構成を行って断層画像を生成すると、アーチファクトの多い画像となり、診断上好ましくない。コリメーターによる放射線のケラレ（以降はケラレと呼ぶ）に起因するアーチファクトは、被写体の関心領域が放射線照射領域に収まるようにして撮影された従来からの単純Ｘ線画像では想定されなかったものである。
【００４９】
そこで、本実施形態における断層画像生成システム１００においては、被写体のない投影画像のプロファイル（画素の信号値のプロファイル）に基づいて投影画像を補正し、補正した投影画像に基づいて再構成画像を生成する。
【００５０】
具体的には、まず、放射線断層撮影装置１において、被写体Ｈを被写体台７０に配置しない状態で放射線源６１に対して放射線検出器Ｆを移動させて所定回数の撮影を行い、被写体無しの一連の投影画像を生成し、コンソール９０に送信する。次いで、放射線断層撮影装置１において、被写体Ｈを被写体台７０に配置した状態で放射線源６１に対して被写体台７０及び放射線検出器Ｆを移動させて所定回数の撮影を行い、被写体有りの一連の投影画像を生成し、コンソール９０に送信する。
なお、被写体無しの投影画像の撮影は、被写体有りの投影画像の撮影前に行うこととするが、被写体有りの投影画像の撮影後に行うこととしてもよい。
【００５１】
コンソール９０の制御部９１は、通信部９４により投影画像が受信されると、受信した投影画像に基づいて、再構成画像生成処理Ａを実行する。
【００５２】
図４に、制御部９１により実行される再構成画像生成処理Ａのフローチャートを示す。再構成画像生成処理Ａは、制御部９１と記憶部９５に記憶されているプログラムとの協働により実行される。
【００５３】
まず、制御部９１は、被写体無しの投影画像における放射線検出器Ｆの移動方向のプロファイルを作成する（ステップＳ１）。
ここで、投影画像における放射線検出器Ｆの移動方向とは、投影画像における、放射線検出器Ｆの移動方向に並んで配列された検出素子に対応する画素配列の方向をいう。以下、投影画像におけるこの方向を列方向とする。また、列方向に直交する方向を行方向とする。
ステップＳ１においては、例えば、投影画像の各行において行方向の信号値の平均値を算出して放射線検出器Ｆの移動方向（即ち、列方向）のプロファイルを作成する。
【００５４】
図５に、被写体無しの投影画像、及び当該投影画像における放射線検出器Ｆの移動方向（列方向）のプロファイルを示す。図５は、ケラレ部を含む投影画像のプロファイルを一例として示している。
被写体無しの投影画像では、放射線減弱のない部分の画素の信号値は最大信号値を示し、ヒール効果やコリメーター７５の影響による放射線減弱のある部分はその減弱に応じて信号値は小さくなる。特に、コリメーター７５により放射線が遮られた場合、わずかな放射線しか放射線検出器Ｆに届かないため、その部分にケラレが生じ、投影画像における放射線検出器Ｆの移動方向のプロファイルをとると、図５に示すように、ケラレ部でない領域とケラレ部との境界Ｂで信号値が急激に低下したプロファイルが得られる。
【００５５】
次いで、制御部９１は、作成したプロファイルに基づいて、投影画像の補正値を算出する（ステップＳ２）。例えば、作成されたプロファイルの最大値と、プロファイルにおける各行の値とを比較して、行ごとに比率（プロファイルの値／最大値）を算出し、算出した比率に基づいて（例えば、比率の逆数を）投影画像における各行の補正値として算出する。
【００５６】
次いで、制御部９１は、被写体有りの投影画像を算出された補正値に基づいて補正する（ステップＳ３）。即ち、被写体有りの投影画像の各画素の信号値に、その画素の属する行に対して算出された補正値を乗算する。なお、ここでは被写体有りと無しでは放射線（Ｘ線）の線質が異なることが考えられるため、そのままでは正しく補正されない可能性があると考えられる。そのため、被写体有りと無しの線質の違いを、ファントム撮影等を用いて実験的に獲得し、その違いを上記補正値に組み込んでも良い。
【００５７】
次いで、制御部９１は、補正した投影画像に基づいて、被写体Ｈの再構成画像（断層画像）を生成する（ステップＳ４）。再構成画像の生成には、例えば、フェルドカンプ法、シフト加算法等の解析的画像再構成法や、逐次近似画像再構成法等の、公知の手法を用いることができる。
このように、予めケラレやヒール効果による濃度ムラが補正された投影画像に基づいて再構成画像を生成することで、アーチファクトが抑えられた再構成画像を得ることが可能となる。
【００５８】
＜第２の実施形態＞
次に、本発明の第２の実施形態について説明する。
第２の実施形態における構成は、第１の実施形態で説明したものと同様であるので説明を援用し、以下、第２の実施形態における動作について説明する。
【００５９】
第２の実施形態においては、まず、放射線断層撮影装置１において、被写体Ｈを被写体台７０に配置した状態で放射線源６１に対して被写体台７０及び放射線検出器Ｆを移動させて所定回数の撮影を行い、被写体有りの一連の投影画像を生成し、コンソール９０に送信する。
【００６０】
コンソール９０においては、通信部９４により投影画像が受信されると、制御部９１は、受信した投影画像に基づいて、再構成画像生成処理Ｂを実行する。
【００６１】
図６に、制御部９１により実行される再構成画像生成処理Ｂのフローチャートを示す。再構成画像生成処理は、制御部９１と記憶部９５に記憶されているプログラムとの協働により実行される。
【００６２】
まず、制御部９１は、受信した投影画像（被写体有りの投影画像）における放射線検出器Ｆの移動方向（列方向）のプロファイルを作成する（ステップＳ１１）。例えば、投影画像の各行において行方向の信号値の平均値を算出して、放射線検出器Ｆの移動方向（即ち、列方向）のプロファイルを作成する。
【００６３】
図７に、被写体有りの投影画像及び当該投影画像における放射線検出器Ｆの移動方向（列方向）のプロファイルの一例を示す。図７は、被写体が全面に写っており、ケラレ部を含んでいる投影画像のプロファイルを一例として示している。
被写体有りの投影画像の信号値は、ヒール効果やコリメーター７５の影響による放射線減弱と被写体Ｈの構造物による放射線吸収による放射線減弱が重畳している。ただし、放射線が放射線検出器Ｆに直接到達した素抜け部と人体において放射線吸収の大きい骨部を介して放射線検出器Ｆに到達した放射線量の差異が１／１０（骨部／素抜け部）程度であるのに対し、素抜け部とケラレ部の到達放射線量の差異は１／２０（ケラレ部／素抜け部）以上であり、前者に比べて非常に大きい。そのため、図７に示すように、被写体有りの投影画像のプロファイルにおいても、ケラレのない領域とケラレ部との境界Ｂで信号値の急激な低下がみられる。
【００６４】
次いで、制御部９１は、作成したプロファイルに基づいて、投影画像の補正値を算出する（ステップＳ１２）。例えば、作成したプロファイルにおいて列方向に隣接する画素の値の差（比率）が予め定められた閾値よりも大きい箇所をケラレ部との境界Ｂとして検出し、境界Ｂよりも低信号側をケラレ部として認識する。次いで、作成したプロファイルのケラレ部における被写体影響によるゆらぎ（図７参照）が補正後の画像に悪影響を及ぼすことが考えられるため、ケラレ部のプロファイルを平滑化する。そして、補正したプロファイルの最大値（又は、ケラレ部でない領域のプロファイルの平均値）と、ケラレ部の各行のプロファイルの値とを比較して比率（プロファイルの値／プロファイルの最大値（又は、ケラレ部でない領域のプロファイルの平均値））を算出し、算出した比率に基づいて（例えば、比率の逆数を）投影画像のケラレ部における各行の補正値として算出する。ケラレ部でない領域の補正値は１とする。
【００６５】
次いで、制御部９１は、投影画像を算出された補正値に基づいて補正する（ステップＳ１３）。即ち、投影画像の各画素の信号値に、その画素の行に対して算出された補正値を乗算する。なお、ケラレ部でない領域については補正値の乗算は省略してもよい。
【００６６】
次いで、制御部９１は、補正した投影画像に基づいて、再構成画像（断層画像）を生成する（ステップＳ１４）。再構成画像の生成には、例えば、フェルドカンプ法、シフト加算法等の解析的画像再構成法や、逐次近似画像再構成法等の、公知の手法を用いることができる。
このように、予めケラレによる濃度ムラが補正された投影画像に基づいて再構成画像を生成することで、ケラレによるアーチファクトが抑えられた再構成画像を得ることが可能となる。
【００６７】
＜変形例＞
なお、ステップＳ１１におけるプロファイルの作成は、次のようにして行ってもよい。
例えば、放射線検出器Ｆに対して被写体部位が小さく、図８に示すように、投影画像に放射線検出器Ｆの移動方向に沿った素抜け部Ｒが存在している場合、例えば、素抜け部Ｒの各行において行方向の信号値の平均値を算出して、素抜け部Ｒのプロファイルを作成してもよい。そして、ステップＳ１２において、素抜け部Ｒに基づいて作成したプロファイルに基づいて、補正値を算出してもよい。具体的には、作成したプロファイルの最大値と、プロファイルにおける各行の値とを比較して、行ごとに比率（プロファイルの値／最大値）を算出し、算出した比率に基づいて（例えば、比率の逆数を）投影画像における各行の補正値として算出してもよい。そして、投影画像の各画素の信号値に、その画素の行に対して算出された補正値を乗算して補正を行うこととしてもよい。このようにすれば、被写体無しの投影画像の撮影を行うことなく投影画像におけるケラレ及びヒール効果による濃度ムラが補正された投影画像を作成することができ、この補正された投影画像に基づいて再構成画像を生成することにより、ケラレ及びヒール効果によるアーチファクトが抑えられた再構成画像を得ることが可能となる。
【００６８】
また、例えば、図９に示すように、放射線検出器Ｆの移動方向に沿った素抜け部Ｒ１、Ｒ２が投影画像の両側に存在している場合、素抜け部Ｒ１、Ｒ２のそれぞれについてプロファイルを作成してもよい。そして、ステップＳ１２において、素抜け部Ｒ１のプロファイル及び素抜け部Ｒ２のプロファイルに基づいて、素抜け部Ｒ１とＲ２の間の列のプロファイル等を補間して、投影画像の各列におけるプロファイルを作成し、作成したプロファイルに基づいて投影画像の各画素の補正値を作成してもよい。
例えば、各行ごとに、図９に示すように素抜け部Ｒ１、Ｒ２のプロファイルの値をプロットし、プロットした点に線形近似を行うことにより、各行における素抜け部Ｒ１とＲ２の間の列のプロファイルを補間することができる。そして、各列において作成されたプロファイルの最大値と、プロファイルにおける各行の値とを比較して、行ごとに比率（プロファイルの値／最大値）を算出し、算出した比率に基づいて（例えば、比率の逆数を）投影画像におけるその列の各行の補正値（即ち、その列の各画素の補正値）として算出してもよい。このようにすれば、投影画像の行方向に濃度ムラがあった場合、そのムラも補正することができ、より一層補正の精度を向上させることができる。
なお、図８、９における素抜け部Ｒ、Ｒ１、Ｒ２は、その帯状の領域を白で表示しているが、実際には、Ｒ、Ｒ１、Ｒ２にも信号値が存在している。
【００６９】
素抜け部Ｒ、Ｒ１、Ｒ２は、投影画像に対応する撮影オーダー情報における被写体部位の情報に基づいて決定することとしてもよい。或いは、投影画像を表示部９３に表示し、操作部９２の操作によりユーザーが素抜け部を指定することとしてもよい。
【００７０】
＜第３の実施形態＞
次に、本発明の第３の実施形態について説明する。
第３の実施形態における構成は、第１の実施形態で説明したものと同様であるので説明を援用し、以下、第３の実施形態における動作について説明する。
【００７１】
第３の実施形態における断層画像生成システム１００においては、逐次近似画像再構成法によって再構成画像の生成を行う。その際、コンソール９０は、再構成画像生成処理Ｃを実行し、放射線断層撮影装置１から送信され被写体無しの投影画像又は被写体有りの投影画像のプロファイルを作成し、作成したプロファイルに基づいて逐次近似画像再構成法での画像再構成に用いられる検出確率を補正し、補正した検出確率に基づいて逐次近似画像再構成法で再構成画像である断層画像を生成する。
【００７２】
図１０に、制御部９１により実行される再構成画像生成処理Ｃのフローチャートを示す。再構成画像生成処理は、制御部９１と記憶部９５に記憶されているプログラムとの協働により実行される。
【００７３】
まず、制御部９１は、被写体無しの投影画像又は被写体有りの投影画像における放射線検出器Ｆの移動方向のプロファイルを作成する（ステップＳ２１）。
プロファイルの作成方法は、第１の実施形態又は第２の実施形態で説明したとおりであるので説明を援用する。
【００７４】
次いで、制御部９１は、作成したプロファイルに基づいて投影画像上のケラレ部を検出する（ステップＳ２２）。
ステップＳ２２では、例えば、プロファイルにおいて列方向に隣接する画素の値の差（比率）が予め定められた閾値よりも大きい箇所（行）をケラレ部との境界Ｂとして検出し、境界からみて低信号値側をケラレ部として検出する。
【００７５】
次いで、制御部９１は、ケラレ部が検出された場合、検出された投影画像上のケラレ部の位置に基づいて、再構成画像においてケラレの影響を受ける画素（ケラレ影響画素）を特定し、特定した画素の検出確率を補正する（ステップＳ２３）。
【００７６】
ここで、逐次近似画像再構成法は、例えば、参考文献１に記載のように、公知の再構成画像生成法である（参考文献１：篠原広行、中世古和真、坂口和也、橋本雄幸著、「画像再構成シリーズ  逐次近似画像再構成の基礎」、株式会社医療科学者、2013年）。逐次近似画像再構成法は、一般的に、光学モデル（検出確率等）や統計モデル等をモデル建ててそのモデルに従い、計算機上で、或る仮定した再構成画像を投影することにより作成した投影画像（推定投影画像と呼ぶ）と、実際に撮影された投影画像とを比較し、比較結果を逆投影してフィードバック値として再構成画像を逐次更新していき、真の再構成画像に近づけいく方法である。検出確率を用いる逐次近似画像再構成法としては、ＭＬ−ＥＭ（Maximum Likelihood-Expectation Maximization）法やＳＡＲＴ法等がある。ここでは、ＭＬ−ＥＭ法を例にとり説明する。
【００７７】
検出確率Ｃijは、逐次近似画像再構成法において、再構成画像上のj番目の画素（画素j）がi番目の検出器（検出器i。検出素子。）に影響を与える割合であり、画素jと検出器ｉとの幾何学的配置によって決まる。また、検出確率Ｃijには、焦点ボケや光子の散乱などの物理現象を組み込むことが可能である。検出確率Ｃijの算出手法は、様々なものが提案されており、例えば、図１１に示すように、再構成画像に対する各方向の実投影画像を収集する際における放射線源の焦点と検出器の中心とを結ぶ放射線の投影線（図１１の細い一点鎖線）があるとすると、検出確率Ｃijは、放射線源の焦点と検出器iの中心とを結ぶ投影線が画素jを横切るときの線分Ｌの長さに基づいて求めることができる。また、１画素の幅を持つ投影線と画素jが交叉する部分の面積を検出確率Ｃijとする場合もある。なお、検出確率Ｃijは、画素と検出器の全ての組み合わせについて予め算出されている。
【００７８】
ＭＬ−ＥＭ法では、検出確率Ｃijを用いて、以下の（１）〜（４）の手順でk回目の再構成画像からk＋１回目の再構成画像を作成する。ここで、kは更新回数を表す。jは再構成画像の画素番号を表し、全ての画素数はJである。iは検出器（検出素子）番号を表し、全ての検出器の数はIである。Ｃijは検出確率を表し、λj(k)とλj(k+1)はそれぞれk回目とk＋1回目に生成される再構成画像の画素値に相当し、yiは実際に撮影された投影画像（実投影画像）の値である。
【００７９】
（１）まず、検出確率Ｃijを用いた以下の［数１］により、k回目の再構成画像λj(k)を投影してk回目の推定投影画像yi（k）を作成する。
【数１】
2015116274.tif 000003
（２）次いで、以下の［数２］により、k回目の推定投影画像yi（k）と実際の投影画像yiとの比yi’を算出する。
【数２】
2015116274.tif 000004
（３）次いで、検出確率Ｃijを用いた以下の［数３］により、算出した比yi’を逆投影してフィードバック値λj’を求める。
【数３】
2015116274.tif 000005
（４）次いで、以下の［数４］に示すように、k回目の再構成画像λj(k)にフィードバック値λj’を掛けてk＋1回目の再構成画像を生成する。
【数４】
2015116274.tif 000006
【００８０】
上記（１）〜（４）を例えば所定の更新回数に達した時や、推定した投影像yi（k）と実際の投影画像yiとの差が予め定められた閾値以下になったとき等、ある条件を満たすまで繰り返す。そして、その繰り返しが終了した時点での再構成画像を、推定した再構成画像とする。
【００８１】
検出確率にコリメーターによるケラレを考慮せず、ケラレによる濃度ムラを補正していない投影画像を実投影画像とした場合、計算機上で作成した推定投影画像と実投影画像との比較（上記（２））においてケラレ部が発生する領域で濃度ムラが生じてしまう。逐次近似画像再構成法では、この濃度ムラが生じた比較結果をフィードバックして再構成画像を更新していくため、生成される再構成画像にもアーチファクトが生じてしまう。一方、本実施形態のように、ケラレ影響画素の検出確率をケラレの影響を考慮した検出確率に補正しておけば、計算機上で作成した推定投影画像と実際の投影画像との比較においてケラレによる濃度ムラを抑えることができる。そして、ケラレによる濃度ムラが抑えられた比較結果に基づくフィードバック値で再構成画像を逐次更新していくことで、結果として再構成画像のアーチファクトを抑えることができる。
【００８２】
ステップＳ２３においては、例えば、図１２に示すように、ステップＳ２２で検出した投影画像におけるケラレ部の位置に基づいて、再構成画像におけるケラレの影響を受ける画素（ケラレ影響画素）を特定し、特定したケラレ影響画素の検出確率を０又はケラレ部の放射線強度（信号値）に応じた検出確率に補正する。例えば、ステップＳ２１で作成されたプロファイルの最大値と、作成されたプロファイルにおけるケラレ部の各行の値とを比較して、比率（プロファイルの値／最大値）を算出し、予めケラレ影響画素に対して求められている検出確率に対し、算出された比率を乗算することにより検出確率を補正することができる。
【００８３】
検出確率の補正が終了すると、制御部９１は、補正した検出確率及び撮影により得られた被写体有りの投影画像に基づいて、上述の逐次近似画像再構成法により再構成画像（断層画像）を生成する（ステップＳ２４）。
【００８４】
このように、予めケラレによる放射線減弱に応じて検出確率を補正し、補正した検出確率を用いて再構成画像を生成することで、ケラレによるアーチファクトが抑えられた再構成画像を得ることが可能となる。
【００８５】
なお、ケラレ部は放射線がほとんど当たっていないためノイズが多いと考えられる。そこで、上記第１〜第３の実施形態において、制御部９１は、投影画像の放射線検出器Ｆの移動方向のプロファイルからケラレ部が検出された場合には、ケラレ部に平滑化処理を行ってから上記の補正（図４のステップＳ１〜Ｓ３、図６のステップＳ１１〜Ｓ１３、図１０のステップＳ２１〜Ｓ２３）及び再構成画像の生成を行うことが好ましい。ケラレ部に平滑化処理を行ってから投影画像への補正及び補正した投影画像に基づく再構成を行うことで、ノイズの影響によるアーチファクトが抑えられた再構成画像を得ることが可能となる。平滑化処理としては、投影画像に、例えば、平均値フィルタ、ガウシアンフィルタ、メディアンフィルタ等の空間周波数フィルタを用いたフィルタ処理を施すことが挙げられる。
【００８６】
以上説明したように、第１の実施形態における断層画像生成システム１００によれば、放射線断層撮影装置１において被写体台７０に被写体Ｈを配置せずにトモシンセシス撮影することにより取得された被写体無しの投影画像から画素信号値のプロファイルを作成し、作成したプロファイルに基づいて、被写体台７０に被写体Ｈを配置して取得された被写体有りの投影画像を補正し、補正した投影画像に基づいて再構成画像を生成する。
【００８７】
従って、補正によりヒール効果やケラレ等による濃度ムラが抑制された投影画像を用いて再構成画像である断層画像を生成するので、アーチファクトが抑えられた再構成画像を得ることが可能となる。
【００８８】
また、第２の実施形態における断層画像生成システム１００のコンソール９０によれば、放射線断層撮影装置１において被写体台７０に被写体Ｈを配置してトモシンセシス撮影することにより取得された被写体有りの投影画像から画素信号値のプロファイルを作成し、作成したプロファイルに基づいて当該投影画像を補正し、補正した投影画像に基づいて再構成画像を生成する。
【００８９】
従って、補正によりヒール効果やケラレ等による濃度ムラが抑制された投影画像を用いて再構成画像である断層画像を生成するので、アーチファクトが抑えられた再構成画像を得ることが可能となる。また、被写体有りの投影画像から作成したプロファイルに基づいて補正を行うため、被写体無しの投影画像を撮影することなく補正を行うことが可能となる。
【００９０】
例えば、コンソール９０は、放射線源６１又は放射線検出器Ｆの移動方向に沿った素抜け部が投影画像内に存在する場合、当該素抜け部の画素信号値のプロファイルを作成し、作成したプロファイルに基づいて投影画像を補正することで、ヒール効果やケラレ等による濃度ムラが抑制された投影画像を用いて再構成画像である断層画像を生成することができ、アーチファクトが抑えられた再構成画像を得ることが可能となる。また、放射線源６１又は放射線検出器Ｆの移動方向に沿った素抜け部が投影画像の両側に存在する場合、それぞれの素抜け部の画素信号値のプロファイルを作成し、作成したプロファイルに基づいて素抜け部の間のプロファイルを補間し、作成されたプロファイル及び補間されたプロファイルに基づいて投影画像を補正することで、投影画像の行方向に濃度ムラがある場合に、精度よく補正を行うことが可能となる。
【００９１】
また、コンソール９０は、投影画像における放射線源６１又は放射線検出器Ｆの移動方向に対応するプロファイルを作成し、当該作成したプロファイルに基づいてコリメーターによるケラレが発生しているケラレ部を検出し、投影画像における検出したケラレ部における放射線の減弱の影響を補正することで、ケラレ等による濃度ムラが抑制された投影画像を用いて再構成画像である断層画像を生成することができ、アーチファクトが抑えられた再構成画像を得ることが可能となる。
【００９２】
また、コンソール９０は、投影画像におけるケラレ部に平滑化処理を施した後、プロファイルに基づく補正を行い、補正した投影画像を用いて再構成を行うようにすることで、ノイズの影響によるアーチファクトが抑えられた再構成画像を得ることが可能となる。
【００９３】
また、コンソール９０は、逐次近似画像再構成法により補正を行う場合、上記の投影画像の補正の代わりに検出確率の補正を行い、補正した検出確率を用いて投影画像の再構成を行うことで、同様にアーチファクトが抑えられた再構成画像を得ることが可能となる。
【００９４】
なお、上記実施形態における記述内容は、本発明に係る断層画像生成システムの好適な一例であり、これに限定されるものではない。
【００９５】
例えば、上記第１の実施形態及び第２の実施形態の変形例においては、ケラレ部を検出せずに各行についての補正を行うこととして説明したが、第２の実施形態と同様にプロファイルに基づいてケラレ部を検出し、検出したケラレ部の信号値に対して補正を行うこととしてもよい。
【００９６】
また、例えば、上記実施形態においては、放射線検出器Ｆがいわゆる可搬型（カセッテ型等ともいう。）であり、それを、放射線断層撮影装置１を構成する撮影台５０の装填部５１（後述する図１参照）に装填して放射線断層撮影を行う場合について説明したが、放射線検出器Ｆが可搬型でなく、撮影台５０と一体的に形成された、いわゆる専用機型の放射線検出器に対しても、本発明を適用することが可能である。
【００９７】
また、上記実施形態においては、放射線断層撮影装置１は立位で撮影を行う装置として説明したが、放射線検出器Ｆ及び被写体Ｈを水平方向に移動させる臥位の撮影を行う装置としてもよい。
【００９８】
また、上記実施形態においては、好ましい例として、放射線断層撮影装置１は、放射線源６１が固定で、被写体Ｈ及び放射線検出器Ｆを一体的に放射線源６１に対して移動させて撮影を行うものとして説明したが、トモシンセシスの撮影を行うものであれば、これに限定されるものではない。例えば、放射線源６１と放射線検出器Ｆを互いに反対方向に移動させて撮影を行う構成としてもよい。また、放射線検出器Ｆを固定として放射線源６１を移動させる構成としてもよい。この場合、上記説明における放射線検出器Ｆの移動方向は、放射線源６１の移動方向となる。本実施形態のように、放射線源６１の位置が固定され、固定された放射線源６１に対して放射線検出器Ｆを移動させる構成の撮影装置では、特にケラレやヒール効果が生じやすく（図３参照）、このような装置により撮影された投影画像から断層画像を生成するシステムおいて、本発明は特に好ましい。
【００９９】
また、上記の説明では、本発明に係るプログラムのコンピューター読み取り可能な媒体としてハードディスクや半導体の不揮発性メモリ等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【０１００】
その他、断層画像生成システムを構成する各装置の細部構成及び細部動作に関しても、発明の趣旨を逸脱することのない範囲で適宜変更可能である。
【符号の説明】
【０１０１】
１００  断層画像生成システム
１  放射線断層撮影装置
５０  撮影台
５１  装填部
５２  支持部
５３  搬送装置
５４  装填部支持部
６０  放射線照射装置
７０  被写体台
６１  放射線源
６２  操作卓
６３  曝射スイッチ
７０  被写体台
７１  搬送装置
７２  支持部
８０  制御ＢＯＸ
９０  コンソール（画像処理装置）
９１  制御部
９２  操作部
９３  表示部
９４  通信部
９５  記憶部
９６  バス
Ｆ  放射線検出器
Ｈ  被写体
【図１】
2015116274.tif 000007
【図２】
2015116274.tif 000008
【図３】
2015116274.tif 000009
【図４】
2015116274.tif 000010
【図６】
2015116274.tif 000011
【図１０】
2015116274.tif 000012
【図１１】
2015116274.tif 000013
【図１２】
2015116274.tif 000014
【図５】
2015116274.tif 000015
【図７】
2015116274.tif 000016
【図８】
2015116274.tif 000017
【図９】
2015116274.tif 000018